(57)【特許請求の範囲】
【請求項１】
エレベーターの昇降路に乗りかごを据え付ける際に用いられ、
据え付け時の前記乗りかごの支持部材を構成し、前記乗りかごを案内する一対のガイドレールのそれぞれに対向して配置された一対の非常止め装置を備え、
前記非常止め装置のそれぞれは、本体の内部に、前記ガイドレールの前記乗りかごを案内する摺動部を挟むように一対配置されたウェッジと、引き上げられることにより一対の前記ウェッジを前記ガイドレールの前記摺動部に狭圧させる引き上げロッドとを有する乗りかごの据え付け装置であって、
前記非常止め装置の前記本体に装着されて一対の前記ガイドレールの前記摺動部のそれぞれに当接した当接部を有し、前記非常止め装置のそれぞれを前記ガイドレールに対して位置決めする一対の位置決め部材と、
前記引き上げロッドのねじ部に螺合して前記位置決め部材を前記本体の上面に押圧する引き上げナットと、を備え、
前記位置決め部材は、前記非常止め装置の前記本体の上面に載置されていることを特徴とする乗りかごの据え付け装置。
【請求項２】
請求項１に記載の乗りかごの据え付け装置であって、
前記引き上げナットは、前記引き上げロッドに対して横方向からの装着を可能とする開口部が形成されており、前記引き上げロッドのねじ部に螺合する差し込みナットと、前記引き上げロッドのねじ部に螺合しており、前記引き上げロッドに螺合している前記差し込みナットをロックするロックナットとから成ることを特徴とする乗りかごの据え付け装置。
【請求項３】
請求項２に記載の乗りかごの据え付け装置であって、
前記位置決め部材は、
前記非常止め装置の前記引き上げロッドの挿入が可能であって端部に前記引き上げロッドが係止された係止部が形成された切り欠き部を有する平板部と、前記平板部に一体に設けられた前記当接部とを含み、
前記当接部は、前記ガイドレールの前記摺動部を挟むように配置されて前記摺動部に摺接する摺接面をそれぞれ有する一対の脚部と、前記摺接面の端部に形成されて前記ガイドレールの前記摺動部の端部に係止された係止部とを有することを特徴とする乗りかごの据え付け装置。
【請求項４】
請求項１に記載の乗りかごの据え付け装置であって、
一対の前記ガイドレールのそれぞれに固定されて一対の前記非常止め装置のそれぞれを支持する一対の受け雇を備えたことを特徴とする乗りかごの据え付け装置。
【発明の詳細な説明】
【技術分野】
【０００１】
本発明は、エレベーターの昇降路内に乗りかごを据え付ける際に用いられる乗りかごの据え付け装置に関する。
【背景技術】
【０００２】
一般にエレベーターは、昇降路内に乗りかごを据え付けるに際して、乗りかごの走行を案内するガイドレールに乗りかごに設けられたガイドシューを係合させた状態で組み上げることが必要になる。その際に、乗りかごの荷重を何らかの部材によって支持させた状態で乗かごの組み上げが行われる。
【０００３】
特許文献１に、乗りかごに通常設けられる非常止め装置を、乗かごの据え付けに際して活用した技術が開示されている。この非常止め装置は、ガイドレールを挟持することにより乗かごの走行を停止させるものである。乗かごの据え付けに際してはこの非常止め装置を作動させてガイドレールを挟持させ、このようにしてガイドレールに固定した非常止め装置を、乗りかごの組み上げ時の支持部材として用いている。
【先行技術文献】
【特許文献】
【０００４】
【特許文献１】特開２００５−２９８２０７号公報
【発明の概要】
【発明が解決しようとする課題】
【０００５】
前述した特許文献１に開示された従来技術は、非常止め装置を乗りかごの据え付け時の支持部材として有効活用するものの、ガイドレールと非常止め装置との相対的な位置決め、及びガイドレールと組み上げた乗りかごとの相対的な位置決めに対しては考慮されていなかった。これに伴い、乗りかごの組み上げ後にガイドレールに対して非常止め装置を位置決めする作業、及びガイドレールに対して乗りかごを位置決めする作業が必要になり、これらによって乗りかごの据え付け作業の能率が低下する課題があった。
【０００６】
上記課題を解決するために、本発明の目的は、昇降路内における乗りかごの据え付け時に乗りかごの荷重を支持することができるとともに、ガイドレールに対する非常止め装置及び乗りかごの位置決めを併せて行うことができる乗りかごの据え付け装置を提供することにある。
【課題を解決するための手段】
【０００７】
上記課題を解決するために、本発明に係る乗りかごの据え付け装置は、エレベーターの昇降路に乗りかごを据え付ける際に用いられ、据え付け時の前記乗りかごの支持部材を構成し、前記乗りかごを案内する一対のガイドレールのそれぞれに対向して配置された一対の非常止め装置を備え、前記非常止め装置のそれぞれは、本体の内部に、前記ガイドレールの前記乗りかごを案内する摺動部を挟むように一対配置されたウェッジと、引き上げられることにより一対の前記ウェッジを前記ガイドレールの前記摺動部に狭圧させる引き上げロッドとを有する乗りかごの据え付け装置であって、前記非常止め装置の前記本体に装着されて一対の前記ガイドレールの前記摺動部のそれぞれに当接した当接部を有し、前記非常止め装置のそれぞれを前記ガイドレールに対して位置決めする一対の位置決め部材と、前記引き上げロッドのねじ部に螺合して前記位置決め部材を前記本体の上面に押圧する引き上げナットと、を備え、前記位置決め部材は、前記非常止め装置の前記本体の上面に載置されていることを特徴としている。
【発明の効果】
【０００８】
本発明に係る乗りかごの据え付け装置は、乗りかごの据え付け作業の能率を向上させることができる。前述した以外の課題、構成及び効果は、以下の実施形態の説明により明らかにされる。
【図面の簡単な説明】
【０００９】
【図１】本発明に係る乗りかごの据え付け装置の一実施形態を示す側面図である。
【図２】図１の要部を拡大して示した側面図である。
【図３】図２に示した要部の正面図である。
【図４】本実施形態に備えられた位置決め部材を示す図で、（ａ）図は平面図、（ｂ）図は側面図、（ｃ）図は正面図である。
【発明を実施するための形態】
【００１０】
以下、本発明に係る乗りかごの据え付け装置の実施の形態を図面に基づいて説明する。
【００１１】
［本実施形態の構成］
図１に示すように、本実施形態は、エレベーターの昇降路１内に乗りかごを据え付ける際に用いられるものであり、据え付け時の乗りかごの支持部材を構成し、乗りかごを案内する一対のガイドレール３のそれぞれに対向して配置される一対の非常止め装置４を備えている。ガイドレール３は、昇降路１の壁面に沿うように配置されたフランジ部３ａと、このフランジ部３ａに連設されてフランジ部３ａの延設方向に対して直交する方向に突出し、乗りかごに設けられたガイドシューを案内する摺動部３ｂとを有している。このガイドレール３は、昇降路１の壁面に取り付けられた図示しないレールブラケットに固定され、位置決めがなされている。
【００１２】
図２，３に示すように、非常止め装置４は本体５の内部に、ガイドレール３の摺動部３ｂを挟むように一対配置されたウェッジ６，７と、引き上げられることによりウェッジ６，７をガイドレール３の摺動部３ｂに狭圧させる引き上げロッド８を有している。乗りかごの据え付け時には、引き上げロッド８を引き上げてウェッジ６，７によって非常止め装置４をガイドレール３に固定し、前述のようにこの非常止め装置４を乗りかごの組み上げ時の支持部材として活用する。
【００１３】
図２，３に示すように、本実施形態は、非常止め装置４の本体５に装着されて一対のガイドレール３の摺動部３ｂのそれぞれに当接した後述の当接部２２を有する位置決め部材２０を備えている。
【００１４】
例えば位置決め部材２０は、非常止め装置４の本体５の上面５ａに載置されている。また本実施形態は、引き上げロッド８に形成されたねじ部に螺合して位置決め部材２０を本体５の上面に押圧する引き上げナット９を備えている。
【００１５】
この引き上げナット９は、位置決め部材２０の上面に当接し、引き上げロッド８に対して伸長方向と直交する横方向からの装着を可能とする開口部が形成されており、引き上げロッド８のねじ部に螺合する差し込みナット９ａと、引き上げロッド８のねじ部に螺合しており、引き上げロッド８に螺合している差し込みナット９ａをロックするロックナット９ｂとから成っている。前述した差し込みナット９ａは市販品として入手可能である。
【００１６】
図４に示すように、位置決め部材２０は、非常止め装置４の引き上げロッド８の横方向からの挿入が可能で端部に引き上げロッド８が係止される弧状の係止部２１ｂが形成された切り欠き部２１ａを有する平板部２１と、この平板部２１に一体に連設された前述の当接部２２とを含んでいる。
【００１７】
当接部２２は、ガイドレール３の摺動部３ｂを挟むように配置されて摺動部３ｂに摺接する摺接面２３ａをそれぞれ有する一対の脚部２３と、これらの脚部２３の摺接面２３ａの端部に形成されてガイドレール３の摺動部３ｂの端部に係止される係止部２３ｂとを有している。
【００１８】
一対の脚部２３の摺接面２３ａ間の寸法は、ガイドレール３の摺動部３ｂの挿入を許容させる範囲内ではあるが、この摺動部３ｂの厚さ寸法に略等しく設定されている。また、一対の脚部２３の長さ寸法は、ガイドレール３の摺動部３ｂの長さ寸法よりも短く設定されている。すなわち、ガイドレール３の摺動部３ｂの端部が摺接面２３ａの端部の係止部２３ｂに係止された状態で、一対の脚部２３のそれぞれがガイドレール３のフランジ部３ａに接触しない寸法に一対の脚部２３のそれぞれの長さ寸法を設定してある。
【００１９】
なお、図１〜図３に示すように、本実施形態は、１本のガイドレール３に対して４か所に配置されたレールクリップ１１によって取り付けられ、非常止め装置４を支持する受け雇１０を備えている。この受け雇１０は、非常止め装置４の荷重だけを支持すれば済み、乗りかごの全荷重を支持しなくてよいので、小型、軽量とすることができる。非常止め装置４が小型、軽量の場合には、受け雇１０を設けることなく、作業者が非常止め装置４を手で支えてガイドレール３に対する非常止め装置４の位置決めを行うこともできる。
【００２０】
［乗りかごの据え付け手順］
はじめに、乗りかごの組み上げ位置に相応するガイドレール３の高さ位置において、一対のガイドレール３のうちの一方のガイドレール３に４つのレールクリップ１１によって受け雇１０を固定する。他方のガイドレール３にも同様に受け雇１０を固定する。
【００２１】
次に、それぞれの受け雇１０の上に非常止め装置４を載置する。
【００２２】
その後、引き上げロッド８を、非常止め装置４のウェッジ６，７がガイドレール３の摺動部３ｂを挟持しない程度にわずかに引き上げて、非常止め装置４の本体５の上面５ａと差し込みナット９ａとの間に、引き上げロッド８を位置決め部材２０の平板部２１の切り欠き部２１ａに挿通させるようにして位置決め部材２０を挟み込む。
【００２３】
この状態を保持して、位置決め部材２０の当接部２２の一対の脚部２３間にガイドレール３の摺動部３ｂを挿入させるようにして、位置決め部材２０をガイドレール３方向に押し込む。このときの位置決め部材２０の移動に伴って、引き上げロッド８が位置決め部材２０の平板部２１の係止部２１ｂによって押圧されることにより、非常止め装置４は受け雇１０上をガイドレール３方向に移動する。
【００２４】
位置決め部材２０の係止部２３ｂがガイドレール３の摺動部３ｂの端部に係止されたときに、ガイドレール３に対する非常止め装置４の位置決めが完了する。この状態で差し込みナット９ａを回転させて引き上げロッド８をさらに引き上げるようにすると、位置決め部材２０は差し込みナット９ａと非常止め装置４の本体５の上面５ａとによって狭圧される。また、引き上げロッド８の引き上げにより非常止め装置４のウェッジ６，７が作動して、これらのウェッジ６，７がガイドレール３の摺動部３ｂを狭圧する。これにより非常止め装置４はガイドレール３に固定される。差し込みナット９ａはロックナット９ｂによって固定される。このようにして、一対のガイドレール３のそれぞれの側において非常止め装置４がガイドレール３に固定される。
【００２５】
次に、一対の非常止め装置４の本体５の上面５ａに乗りかごの下枠２を載置し、下枠２の所定箇所が非常止め装置４の取り付け部の位置に適合するように下枠２の載置位置を調整する。非常止め装置４の取り付け部と、下枠２の所定箇所が適合した状態で、非常止め装置４のそれぞれと乗かごの下枠２とを接続する。これにより、ガイドレール３に対して乗りかごも位置決めされる。
【００２６】
その後、下枠２上に図示しない側板及び天井等が組み上げられて、乗りかごの組み上げが終了する。ここで例えば一対の受け雇１０が、一対のガイドレール３のそれぞれから撤去される。これによって乗りかごの据え付けは完了する。
【００２７】
前述したように、本実施形態に係る乗りかごの据え付け装置は、昇降路１内に乗りかごを据え付ける際には、位置決め部材２０を介して非常止め装置４をガイドレール３に対して位置決めし、この状態で乗りかごの荷重を非常止め装置４で支持しながら乗りかごを組み上げ、また位置決めされた非常止め装置４の取り付け部が、乗りかごの下枠２の所定箇所に位置するように下枠２の位置を調整して非常止め装置４と乗かごの下枠２とを接続すればよい。これにより乗りかごもガイドレール３に対して位置決めすることができる。
【００２８】
すなわち本実施形態は、昇降路１内における乗りかごの据え付け時に乗りかごの荷重を非常止め装置４で支持することができるとともに、ガイドレール３に対する非常止め装置４及び乗りかごの位置決めを併せて行うことができ、乗りかごの据え付け作業の能率を向上させることができる。
【００２９】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３０】
１・・昇降路、２・・下枠、３・・ガイドレール、３ａ・・フランジ部、３ｂ・・摺動部、４・・非常止め装置、５・・本体、５ａ・・上面、６・・ウェッジ、７・・ウェッジ、８・・引き上げロッド、９・・引き上げナット、９ａ・・差し込みナット、９ｂ・・ロックナット、１０・・受け雇、１１・・レールクリップ、２０・・位置決め部材、２１・・平板部、２１ａ・・切り欠き部、２１ｂ・・係止部、２２・・当接部、２３・・脚部、２３ａ・・摺接面、２３ｂ・・係止部
【図１】
0006564731.tif 000002
【図２】
0006564731.tif 000003
【図３】
0006564731.tif 000004
【図４】
0006564731.tif 000005